(57)【要約】【課題】用途に応じて赤色ＬＥＤと白色ＬＥＤを選択的に発光することのできる誘導灯を提供する。【解決手段】本考案に係る誘導灯１０は、支持筒１１から延設された透明管体１２と、該透明管体内に複数個配設された第１の発光体素子１３と、前記支持筒の側壁に配設された第２の発光体素子１４と、前記支持筒内に収納され前記第１および第２の発光体素子に電流を供給する電源１５と、該電源を制御する電気回路１６とを備えたので、用途に応じて赤色ＬＥＤと白色ＬＥＤを選択的に発光することができる。【選択図】　図１
0003096983.tif 000002
【実用新案登録請求の範囲】
【請求項１】
支持筒から延設された透明管体と、
該透明管体内に複数個配設された第１の発光体素子と、
前記支持筒の側壁に配設された第２の発光体素子と、
前記支持筒内に収納され前記第１および第２の発光体素子に電流を供給する電源と、該電源を制御する電気回路とを備えたことを特徴とする誘導灯。
【請求項２】
前記第１の発光体素子は、赤色ＬＥＤであることを特徴とする請求項１に記載の誘導灯。
【請求項３】
前記第２の発光体素子は、白色ＬＥＤであることを特徴とする請求項１または２に記載の誘導灯。
【請求項４】
前記第１の発光体素子は、前記透明管体内に同軸上で且つそれぞれ並列に接続されたことを特徴とする請求項１〜３の何れか１に記載の誘導灯。
【請求項５】
前記第１、第２の発光体素子は、基板上に配設されたスイッチによって選択的に発光することを特徴とする請求項１〜４の何れか１に記載の誘導灯。
【請求項６】
前記第２の発光体素子は、光をレンズによって拡散することを特徴とする請求項１〜５の何れか１に記載の誘導灯。
【請求項７】
前記スイッチは、防水カバーを備えたことを特徴とする請求項５または６に記載の誘導灯。
【請求項８】
前記スイッチは、周囲に保護突起を備えたことを特徴とする請求項５〜７の何れか１に記載の誘導灯。
【考案の詳細な説明】
【０００１】
【考案の属する技術分野】
本考案は、一般道路、高速道路等を走行する車両或いは駐車場に於いて車両運転者に指示を与え、所望の方向に誘導する誘導灯に関すものである。
【０００２】
【従来の技術】
従来の誘導灯は、車両などを誘導するため、透明管内に発光ダイオード（赤色ＬＥＤ）を配置し、電源である乾電池によってこれを点灯または点滅させるものであった。その後、警察の検問時に運転免許証上の文字などに明かりを当てて見るために使用する誘導灯も必要となった。このため、誘導用の赤色ＬＥＤとは別に、誘導灯の側面に照明用の小型電球（ＬＡＭＰ）をつけたものが開発され、現在まで販売されてきた。
【０００３】
又、最近では、誘導用の赤色ＬＥＤとは別に、照明用に、電球ではなく、その代わりに白色ＬＥＤを使用する誘導灯も開発された。
【０００４】
【考案が解決しようとする課題】
しかし、誘導用の赤色ＬＥＤとは別に照明用に小型電球を使用した第１の誘導灯の場合は、消費電流が多い上に、衝撃にも弱く壊れやすいという欠陥があった。又、光量を大きくしようとすると電球も大きくなり誘導灯の外径も大きくなり重量が重くなって携帯に不便であった。更に、赤色ＬＥＤのコントロールスイッチとは別に、電球のコントロールスイッチを設けなければならないという短所もあった。他方、誘導用の赤色ＬＥＤとは別に照明用に白色ＬＥＤを使用した第２の誘導灯の場合には、消費電流は小さいという利点はあったが、次ぎのような欠点があった。即ち、白色ＬＥＤを作動させるためには、白色ＬＥＤの電圧は、規格上３．６Ｖ以上である必要があった。３．６Ｖ以上の電流を作るためには、１．５Ｖの電池を３本使用する必要があり、電池を３本使用すると誘導灯のサイズが長くなってしまい、携帯時及び使用時に不便であり、又、デザイン的にも悪いものであった。
【０００５】
上記問題点を解決するため本考案は、誘導灯に赤色発光体素子と白色発光体素子を備え、用途に応じて選択的に点灯することのできる誘導灯を提供することを目的としている。
【０００６】
【課題を解決するための手段】
本考案に係る誘導灯は、支持筒から延設された透明管体と、該透明管体内に複数個配設された第１の発光体素子と、前記支持筒の側壁に配設された第２の発光体素子と、前記支持筒内に収納され前記第１および第２の発光体素子に電流を供給する電源と、該電源を制御する電気回路とを備えたことを特徴とする。
【０００７】
請求項２の考案は、請求項１に記載の誘導灯において、前記第１の発光体素子は、赤色ＬＥＤであることを特徴とする。
【０００８】
請求項３の考案は、請求項１または２に記載の誘導灯において、前記第２の発光体素子は、白色ＬＥＤであることを特徴とする。
【０００９】
請求項４の考案において、前記第１の発光体素子は、前記透明管体内に同軸上で且つそれぞれ並列に接続されたことを特徴とする。
【００１０】
請求項５の考案は、請求項１〜４に記載の誘導灯において、前記第１、第２の発光体素子は、基板上に配設されたスイッチによって選択的に発光することを特徴とする。
【００１１】
請求項６の考案は、請求項１〜５に記載の誘導灯において、前記第２の発光体素子は、光をレンズによって拡散することを特徴とする。
【００１２】
請求項７の考案は、請求項５または６に記載の誘導灯において、前記スイッチは、防水カバーを備えたことを特徴とする。
【００１３】
請求項８の考案は、請求項５から７のいずれかに記載誘導灯において、前記スイッチは、周囲に保護突起を備えたことを特徴とする。
【００１４】
【考案の実施の形態】
以下、図面を参照して本考案の一実施の形態について説明する。図１は本考案の一実施形態である誘導灯を示す全体側面図、図２は同誘導灯における透明管体の構成を示す断面図、図３は、同誘導灯における支持筒を示す断面図である。ここで、誘導灯１０は、支持筒１１から延設された透明管体１２と、該透明管体１２内に複数個配設された第１の発光体素子１３と、前記支持筒１１の側壁に配設された第２の発光体素子１４と、前記支持筒内に収納され前記第１および第２の発光体素子に電流を供給する電源１５と、該電源を制御する電気回路１６とを備えている。
【００１５】
また、支持筒１１の外周にはクリップ１７が取り付けられていると共に、第１の発光体素子１３および第２の発光体素子１４の点灯を制御するスイッチ１８が配設されている。透明管体１２は、外管１２ａと内管１２ｂとから構成されており、先端はキャップ１９により同心状に固定されている。内管１２ｂの内周に近接して２本の導線２０が配設されており、支持板２１によって所定の間隔に保持されている。２本の導線２０の間には、複数の第１の発光体素子１３が等間隔で配設されている。また、外管１２ａの内周面には、光拡散性を有する赤色のシートが貼付されている。光拡散性シートの替わりに外管１２ａ或るいは内管１２ｂの周面に凹凸を形成してもよい。
【００１６】
支持筒１１内には、図３に示すように電気回路１６である基板が固着されおり、この基板上にスイッチ１８が搭載されている。また、スイッチの押圧部１８ａは、防水カバー２２で覆われており、外部からの雨水の浸入を防止している。図７、８は、本考案に係る誘導灯の防水カバーを示す断面図である。防水カバー２２は、合成ゴム、軟質合成樹脂等から一体的に構成されおり、中央のボタン部２２ａを押すと下端の押圧部２２ｂが下降して基板上のスイッチ１８の押圧部１８ａを押圧する。防水カバー２２の周囲には、嵌合溝２２ｃが形成されており、支持筒１１の一部に嵌合されている。したがって、外部からの水分を完全に遮断することができる。
【００１７】
図４に基盤上の電気回路１６の構成を示す。電気回路１６には、第１の発光体素子１３を点灯、点滅させるためのドライバー回路、第２の発光体素子１４を点灯するために昇圧するＤＣ−ＤＣコンバーター、第１の発光体素子１３，第２の発光体素子１４の点灯制御回路等が搭載されている。従って、ＤＣ−ＤＣコンバーターによって２本の電池の起電力である３Ｖを３．６Ｖ以上にしているので、２本の電池で白色ＬＥＤの発光が可能となる。
【００１８】
制御回路は次のように構成されている。先ず、スイッチ１８を始めに押圧すると、第１の発光体素子（赤色ＬＥＤ）１３が点滅する。スイッチ１８を２回目に押圧すると、第１の発光体素子（赤色ＬＥＤ）１３が点灯する。３回目にスイッチ１８を押圧すると、第２の発光体素子（白色ＬＥＤ）１４が点灯し、第１の発光体素子（赤色ＬＥＤ）１３が消灯する。４回目にスイッチ１８を押圧すると、全機能が停止する。スイッチ１８および制御回路は、上記動作を順次繰り返す。この順序は、制御回路によってコントロールされている。
【００１９】
また、図５，６に示すようにスイッチ１８の防水カバー２２は、周囲に保護突起２３を備えている。保護突起２３は、防水カバー２２と同等、或いはやや高く形成され防水カバー２２の上側部に設けられている。
【００２０】
第２の発光体素子（白色ＬＥＤ）１４は、図５，６に示すようにレンズ２４を備えており、発光した光をレンズ２４によって拡散する。レンズ２４は、凸レンズでありレンズカバー２５より０．５ｍｍ内側に位置している。また、レンズカバー２５は、高さが２ｍｍである。ＬＥＤの光の出る部分は、１３φで周りの１７φは接着面となる。レンズカバー２５の外径は、２５φである。第２の発光体素子１４の後面には、反射板を設ける。このように構成することにより、高輝度ＬＥＤの発光範囲を拡大して、広い範囲を照明することができる。
【００２１】
支持筒１１の透明管体１２の取り付けられている側と逆側には、円筒形の電池ケース２６が螺子２６ａによって着脱可能に装着されている。電池ケース２６内には、電源１５である単２電池が２個直列に収納されている。また、外側には、ストラップ２７が取り付けられている。電池は、電気回路１６に電力を供給する。
【００２２】
なお、以上の実施の形態において、第１の発光体素子１３、第２の発光体素子１４、電池の数は一例を示すものでこれらの範囲に限定されるものではない。
【００２３】
【考案の効果】
以上説明したように本考案の誘導灯は、支持筒から延設された透明管体と、該透明管体内に複数個配設された第１の発光体素子と、前記支持筒の側壁に配設された第２の発光体素子と、前記支持筒内に収納され前記第１および第２の発光体素子に電流を供給する電源と、該電源を制御する電気回路とを備えたので、誘導灯を車両等の誘導、警備に使用する際には第１の発光体素子である赤色ＬＥＤを発光、点滅させ、免許証や身分証明書を確認する際には、第２の発光体素子である白色ＬＥＤを発光させることができる。したがって、一つの誘導灯で用途に応じて使用することができる。
【００２４】
また、本考案は第１の発光体素子は、赤色ＬＥＤであるので車両等の誘導、警備に使用する際には第２の発光体素子である赤色ＬＥＤを発光、点滅させることができる。
【００２５】
また、本考案の第２の発光体素子は、白色ＬＥＤであるので免許証や身分証明書を確認する際には、第１の発光体素子である白色ＬＥＤを発光させることができる。
【００２６】
また、本考案の第１の発光体素子は、前記透明管体内に同軸上で且つそれぞれ並列に接続されたので、同一の電源で多数の発光体素子を発光させることができ、視認性の向上を図ることができる。
【００２７】
また、本考案の第１、第２の発光体素子は、基板上に配設されたスイッチによって選択的に発光するので、誘導灯を車両等の誘導、警備に使用する際には赤色ＬＥＤを発光、点滅させ、免許証や身分証明書を確認する際には、白色ＬＥＤを発光させることができる。
【００２８】
また、本考案の第２の発光体素子は、光をレンズによって拡散するので、小さい光源であるＬＥＤ等であっても、広い範囲を照射することができ、身分証明書や免許証の確認に便利である。
【００２９】
また、本考案のスイッチは、防水カバーを備えたので、雨天の場合でも車両の警備誘導に使用することができる。
【００３０】
また、本考案の前記スイッチは、周囲に保護突起を備えたので、本発明の誘導灯を帯行中にスイッチが不用意にＯＮとされる虞がなく、安全である。また、スイッチ自体が保護突起で保護されるので、破損したり摩耗するのを阻止することができる。
【図面の簡単な説明】
【図１】図１は、本考案の一実施形態である誘導灯を示す全体側面図である。
【図２】図２は、同誘導灯における透明管体の構成を示す断面図である。
【図３】図３は、同誘導灯における支持筒を示す断面図である。
【図４】図４は、同誘導灯の電気回路部を示す説明図である。
【図５】図５は、同誘導灯における支持筒を示す要部側面図である。
【図６】図６は、同誘導灯における支持筒を示す要部正面図である。
【図７】図７は、本考案に係る誘導灯の防水カバーを示す断面図である。
【図８】図８は、同防水カバーを押した状態を示す断面図である。
【符号の説明】
１０　　　　誘導灯
１１　　　　支持筒
１２　　　　透明管体
１３　　　　第１の発光体素子
１４　　　　第２の発光体素子
１５　　　　電源
１６　　　　電気回路
１７　　　　クリップ
１８　　　　スイッチ
１９　　　　キャップ
２０　　　　導線
２１　　　　支持板
２２　　　　防水カバー
２３　　　　保護突起
２４　　　　レンズ
２５　　　　レンズカバー
２６　　　　電池ケース
２７　　　　ストラップ
【図１】
0003096983.tif 000003
【図２】
0003096983.tif 000004
【図３】
0003096983.tif 000005
【図４】
0003096983.tif 000006
【図５】
0003096983.tif 000007
【図６】
0003096983.tif 000008
【図７】
0003096983.tif 000009
【図８】
0003096983.tif 000010